(57)【要約】【課題】  情報記録媒体に記録されているコンテンツデータの内容を容易に確認することが可能な情報処理装置，情報処理方法およびプログラムを提供する。【解決手段】個体識別情報が予め設定された情報記録媒体に記録される／記録されたコンテンツデータを管理する情報処理装置１００が提供され，コンテンツデータを特定可能な動画データをカバービデオ情報として生成するカバービデオ情報生成装置３２０と，コンテンツデータが記録される／記録された情報記録媒体の個体識別情報と，カバービデオ情報とを関連付けて管理するコンテンツデータ管理装置４００とを備える。かかる構成により，情報記録媒体に記録されたコンテンツデータの内容を想起させることができ，情報記録媒体に記録されたコンテンツデータより再生時間が短い動画データを生成することができる。【選択図】    図４
2006020267.tif 000002
【特許請求の範囲】
【請求項１】
個体識別情報が予め設定された情報記録媒体に記録される／記録されたコンテンツデータを管理する情報処理装置であって：
前記コンテンツデータを特定可能な動画データをカバービデオ情報として生成するカバービデオ情報生成装置と；
前記コンテンツデータが記録される／記録された前記情報記録媒体の前記個体識別情報と，前記カバービデオ情報とを関連付けて管理するコンテンツデータ管理装置とを備えたことを特徴とする，情報処理装置。
【請求項２】
前記カバービデオ情報と前記コンテンツデータとは，同一の前記情報記録媒体に記録されることを特徴とする，請求項１に記載の情報処理装置。
【請求項３】
前記カバービデオ情報と前記個体識別情報とは，相互に関連付けられて，前記情報記録媒体とは別体の記録装置に記録されることを特徴とする，請求項１に記載の情報処理装置。
【請求項４】
前記カバービデオ情報と前記コンテンツデータは，同一の圧縮形式により管理されることを特徴とする，請求項１に記載の情報処理装置。
【請求項５】
前記コンテンツデータは，複数のサブコンテンツデータから構成され，前記動画データは最新に記録されたコンテンツデータから生成されることを特徴とする，請求項１に記載の情報処理装置。
【請求項６】
前記情報処理装置は，前記情報記録媒体に記録される前記コンテンツデータを特定可能な１または２以上のサムネイルデータを生成するサムネイルデータ生成部を備えることを特徴とする，請求項１に記載の情報処理装置。
【請求項７】
個体識別情報が予め設定された情報記録媒体に記録される／記録されたコンテンツデータを管理する情報処理装置であって：
前記コンテンツデータが記録される／記録された前記情報記録媒体の前記個体識別情報と，前記コンテンツデータを特定可能なカバービデオ情報とを関連付けて管理するコンテンツデータ管理装置と；
前記個体識別情報を獲得する個体識別情報獲得装置と；
前記個体識別情報獲得装置により獲得された個体識別情報に基づいて，対応するカバービデオ情報を選択して再生するカバービデオ情報再生装置とを備えたことを特徴とする，情報処理装置。
【請求項８】
前記個体識別情報獲得装置は，前記コンテンツデータを読み出す読み出し装置と同系の装置として構成されていることを特徴とする，請求項７に記載の情報処理装置。
【請求項９】
前記個体識別情報獲得装置は，前記情報記録媒体から前記コンテンツデータを読み出す読み出し装置とは，別系の装置として構成されていることを特徴とする，請求項７に記載の情報処理装置。
【請求項１０】
前記別系の装置は，ユーザが個体識別情報を入力可能な個体識別情報入力装置であることを特徴とする，請求項９に記載の情報処理装置。
【請求項１１】
前記別系の装置は，前記情報記録媒体に物理的に刻印された個体識別情報を読み出す読み出し装置であることを特徴とする，請求項９に記載の情報処理装置。
【請求項１２】
前記カバービデオ情報と前記コンテンツデータとは，同一の前記情報記録媒体に記録されており，前記カバービデオ情報再生装置は，前記個体識別情報獲得装置により獲得された個体識別情報に基づいて，前記情報記録媒体から対応するカバービデオ情報を選択して再生することを特徴とする，請求項７に記載の情報処理装置。
【請求項１３】
前記カバービデオ情報と前記個体識別情報とは，相互に関連付けられて，前記情報記録媒体とは別体の記録装置に記録されており，前記カバービデオ情報再生装置は，前記個体識別情報獲得装置により獲得された個体識別情報に基づいて，前記記録装置から対応するカバービデオ情報を選択して再生することを特徴とする，請求項７に記載の情報処理装置。
【請求項１４】
前記カバービデオ情報は，前記情報処理装置により，前記情報記録媒体の挿入が認識された時点から，前記コンテンツデータの再生が可能となった時点まで再生可能であることを特徴とする，請求項７に記載の情報処理装置。
【請求項１５】
前記カバービデオ情報は，前記情報処理装置により，前記情報記録媒体の挿入が認識された時点から，前記コンテンツデータを特定可能な１または２以上のサムネイルデータの表示が可能となった時点まで再生可能であることを特徴とする，請求項７に記載の情報処理装置。
【請求項１６】
情報処理装置により，個体識別情報が予め設定された情報記録媒体に記録される／記録されたコンテンツデータを管理する情報処理方法であって：
カバービデオ情報生成装置により，前記コンテンツデータを特定可能な動画データをカバービデオ情報として生成する工程と；
コンテンツデータ管理装置により，前記コンテンツデータが記録される／記録された前記情報記録媒体の前記個体識別情報と，前記カバービデオ情報とを関連付けて管理する工程とから成ることを特徴とする，情報処理方法。
【請求項１７】
前記カバービデオ情報と前記コンテンツデータとは，同一の前記情報記録媒体に記録されることを特徴とする，請求項１６に記載の情報処理方法。
【請求項１８】
前記カバービデオ情報と前記個体識別情報とは，相互に関連付けられて，前記情報記録媒体とは別体の記録装置に記録されることを特徴とする，請求項１６に記載の情報処理方法。
【請求項１９】
前記カバービデオ情報と前記コンテンツデータは，同一の圧縮形式により管理されることを特徴とする，請求項１６に記載の情報処理方法。
【請求項２０】
前記コンテンツデータは，複数のサブコンテンツデータから構成され，前記動画データは最新に記録されたサブコンテンツデータから生成されることを特徴とする，請求項１６に記載の情報処理方法。
【請求項２１】
情報処理装置により，個体識別情報が予め設定された情報記録媒体に記録される／記録されたコンテンツデータを管理する情報処理方法であって：
コンテンツデータ管理装置により，前記コンテンツデータが記録される／記録された前記情報記録媒体の前記個体識別情報と，前記コンテンツデータを特定可能なカバービデオ情報とを関連付けて管理する工程と；
個体識別情報獲得装置により，前記個体識別情報を獲得する個体識別情報獲得工程と；
カバービデオ情報再生装置により，前記個体識別情報に基づいて，対応するカバービデオ情報を選択して再生するカバービデオ情報再生工程とから成ることを特徴とする，情報処理方法。
【請求項２２】
前記個体識別情報獲得工程は，前記情報記録媒体から前記個体識別情報を読み出す工程と，ユーザが個体識別情報を入力する工程と，前記情報記録媒体に物理的に刻印された個体識別情報を読み出す工程とを含むことを特徴とする，請求項２１に記載の情報処理方法。
【請求項２３】
前記カバービデオ情報と前記コンテンツデータとは，同一の前記情報記録媒体に記録されており，前記カバービデオ情報再生工程は，前記個体識別情報獲得工程において獲得された個体識別情報に基づいて，前記情報記録媒体から対応するカバービデオ情報を選択して再生することを特徴とする，請求項２１に記載の情報処理方法。
【請求項２４】
前記カバービデオ情報と前記コンテンツデータとは，相互に関連付けられて，前記情報記録媒体とは別体の記録装置に記録されており，前記カバービデオ情報再生工程は，前記個体識別情報獲得工程において獲得された個体識別情報に基づいて，前記記録装置から対応するカバービデオ情報を選択して再生することを特徴とする，請求項２１に記載の情報処理方法。
【請求項２５】
情報処理装置をして，個体識別情報が予め設定された情報記録媒体に記録される／記録されたコンテンツデータを管理せしめるコンピュータプログラムであって：
前記コンテンツデータを特定可能な動画データをカバービデオ情報として生成する手順と；
前記コンテンツデータが記録される／記録された前記情報記録媒体の前記個体識別情報と，前記カバービデオ情報とを関連付けて管理する手順とを実行させるためのプログラム。
【請求項２６】
情報処理装置をして，個体識別情報が予め設定された情報記録媒体に記録される／記録されたコンテンツデータを管理せしめるコンピュータプログラムであって：
前記コンテンツデータが記録される／記録された前記情報記録媒体の前記個体識別情報と，前記コンテンツデータを特定可能なカバービデオ情報とを関連付けて管理する手順と；
前記個体識別情報を獲得する個体識別情報獲得手順と；
前記個体識別情報に基づいて，対応するカバービデオ情報を選択して再生するカバービデオ情報再生手順とを実行させるためのプログラム。
【発明の詳細な説明】
【技術分野】
【０００１】
本発明は，情報処理装置，情報処理方法およびプログラムに関し，さらに詳細には，個体識別情報が予め設定された情報記録媒体に記録される／記録されたコンテンツデータを管理する情報処理装置，情報処理方法およびプログラムに関する。
【背景技術】
【０００２】
従来，ユーザが情報記録媒体（例えば，磁気ディスク，光ディスク，光磁気ディスク，半導体メモリなど）に記録されているコンテンツデータを判別するために，ユーザは，情報記録媒体に記録されているコンテンツデータの内容に関連するタイトルや日付を，情報記録媒体の表面に直接記入したり，情報記録媒体を収納するケース等の表面に記入したり，シール等に記入して，情報記録媒体の表面や，情報記録媒体を収納するケースに貼ったりしている。しかし，情報記録媒体の表面や，情報記録媒体を収納するケース等の表面に記入されているタイトルや日付等の情報では，どのようなコンテンツデータが情報記録媒体に記録されているのかを判断できない場合がある。
【０００３】
また，情報記録媒体のコンテンツデータの内容に関連したタイトルや日付が，情報記録媒体の表面や，情報記録媒体を収納するケースの表面などどこにも記入されていない場合，ユーザは，情報記録媒体のコンテンツデータを再生して，情報記録媒体に記録されているコンテンツデータの内容を確認している。情報記録媒体に記録されているコンテンツデータを再生するためには，例えば，情報記録媒体をＡＶ機器などに挿入して，情報記録媒体に記録されているコンテンツデータを呼び出さなければならない。したがって，情報記録媒体のコンテンツデータの内容に関連したタイトルや日付が，情報記録媒体の表面や，情報記録媒体を収納するケースの表面などどこにも記入されていない場合，情報記録媒体に記録されているコンテンツデータの内容を確認するのに時間がかかるという問題があった。
【０００４】
また，情報記録媒体を再生することなく，情報記録媒体の付加情報を確認する方法が，特許文献１に開示されている。特許文献１では，情報記録媒体の識別情報，例えば個体識別情報等を情報記録媒体の付加情報と関連付けて，情報記録媒体とは別の装置のメモリに記録させている。これにより，ユーザは，個体識別情報を用いて，情報記録媒体とは別の装置のメモリに記録されている，情報記録媒体の付加情報を参照することができる。特許文献１では，情報記録媒体の付加情報を，タイトルや日付などのテキスト情報としている。
【０００５】
例えば，情報記録媒体に記録されているコンテンツデータが，有名な映画などであれば，タイトルからすぐに内容を確認することができる。しかし，ユーザが毎週行っているテニスの試合を撮影した場合，「テニスの試合」というタイトルだけでは，いつの，誰と行った試合か判断することができない。また，日付が記録されていたとしても，「日付  テニスの試合」という情報だけでは，誰とどこで行った試合か，具体的にイメージすることができない。
【０００６】
【特許文献１】特開２００４−６２９１６号公報
【発明の開示】
【発明が解決しようとする課題】
【０００７】
そこで，本発明はこのような問題に鑑みてなされたもので，本発明の目的は，情報記録媒体に記録されたコンテンツデータの内容を想起させることができ，情報記録媒体に記録されたコンテンツデータより再生時間が短い動画データを生成することが可能な，新規かつ改善された情報処理装置，情報処理方法およびプログラムを提供することにある。また，本発明の目的は，情報記録媒体の個体識別情報と，情報記録媒体に記録されたコンテンツデータの内容を想起させることができ，情報記録媒体に記録されたコンテンツデータより再生時間が短い動画データとを関連付けて管理することが可能な，新規かつ改善された情報処理装置，情報処理方法およびプログラムを提供することにある。
【課題を解決するための手段】
【０００８】
上記課題を解決するために，本発明のある観点によれば，個体識別情報が予め設定された情報記録媒体に記録される／記録されたコンテンツデータを管理する情報処理装置が提供される。この情報処理装置は，コンテンツデータを特定可能な動画データをカバービデオ情報として生成するカバービデオ情報生成装置と，コンテンツデータが記録される／記録された情報記録媒体の個体識別情報と，カバービデオ情報とを関連付けて管理するコンテンツデータ管理装置とを備えたことを特徴とする。
【０００９】
かかる構成によれば，上記情報処理装置により，ユーザが例えばビデオカメラなどの撮像装置で撮像して，情報処理装置に記録されるコンテンツデータと，すでに情報記録媒体に記録されたコンテンツデータを管理することができる。
【００１０】
ここで，上記カバービデオ情報とは，情報記録媒体（例えば，光ディスク等）に記録されたコンテンツデータの特徴的な内容を表すものであり，情報記録媒体に記録されたコンテンツデータより再生時間が短い動画データである。また，個体識別情報とは，ディスクなどの情報記録媒体に予め設定されている，各情報記録媒体に固有の個体識別情報であり，情報記録媒体の内部に電子的に記録されていてもよいし，情報記録媒体の表面に物理的に表示されていてもよい。
【００１１】
上記カバービデオ情報が，コンテンツデータの特徴的な内容を表すものであり，情報記録媒体に記録されたコンテンツデータより再生時間が短い動画データであることから，ユーザは，カバービデオ情報を再生して，素早くしかも容易に情報記録媒体に記録されたコンテンツデータの内容をイメージすることができる。
【００１２】
また，個体識別情報とカバービデオ情報が関連付けられて管理されているため，情報記録媒体を該情報処理装置に挿入して，情報記録媒体に記録されているコンテンツデータを読み出さなくても，情報記録媒体に記録されているコンテンツデータの内容を確認することが可能となる。
【００１３】
また，情報記録媒体に記録されているコンテンツデータの内容を，動画データで管理することが可能となり，特に，複数の情報記録媒体の管理が容易となる。例えば，情報記録媒体に記録されたコンテンツデータの内容を表す情報が,日付や似たような名前のタイトルなどのテキスト情報であった場合，複数のテキスト情報の中から所望の情報記録媒体を探すよりも，情報記録媒体に記録されているコンテンツデータの特徴的な内容を表し，短時間で再生される動画データの中から所望の情報記録媒体を探すほうが簡単である。
【００１４】
また，カバービデオ情報とコンテンツデータとは，同一の情報記録媒体に記録され，カバービデオ情報と個体識別情報とは，相互に関連付けられて，情報記録媒体とは別体の記録装置に記録してもよい。これにより，情報記録媒体が該情報処理装置に挿入されていなくとも，情報記録媒体とは別体の記録装置に記録されているカバービデオ情報から，情報記録媒体に記録されているコンテンツデータの内容を確認することが可能となる。
【００１５】
また，カバービデオ情報とコンテンツデータとは，同一の圧縮形態により管理してもよい。これにより，コンテンツデータが再生可能な装置であれば，カバービデオ情報を再生することが可能となり，カバービデオ情報を生成した装置以外では，カバービデオ情報を再生できないという事態を回避することができる。
【００１６】
また，コンテンツデータは，複数のサブコンテンツデータから構成されていてもよい。なお，サブコンテンツデータとは，コンテンツデータを構成する要素であり，動画データからなる。また，カバービデオ情報として生成する動画データは，最新に記録されたサブコンテンツデータから生成するのが好ましい。すなわち，最新に記録されたサブコンテンツデータから生成されたカバービデオ情報は，ユーザの記憶に一番新しい情報なので，ユーザの記憶に残りやすく，ユーザにとって，情報記録媒体に記録されたコンテンツデータの内容を判断するのに有効な手段となる。
【００１７】
また，上記情報処理装置は，さらに情報記録媒体に記録されるコンテンツデータを特定可能な１または２以上のサムネイルデータを生成するサムネイルデータ生成部を備えてもよい。
【００１８】
上記課題を解決するために，本発明の別の観点によれば，個体識別情報が予め設定された情報記録媒体に記録される／記録されたコンテンツデータを管理する情報処理装置が提供される。この情報処理装置は，コンテンツデータが記録される／記録された前記情報記録媒体の個体識別情報と，コンテンツデータを特定可能なカバービデオ情報とを関連付けて管理するコンテンツデータ管理装置と，個体識別情報を獲得する個体識別情報獲得装置と，個体識別情報獲得装置により獲得された個体識別情報に対応するカバービデオ情報を選択して再生するカバービデオ情報再生装置とを備えたことを特徴とする。
【００１９】
かかる構成により，情報記録媒体に記録されているコンテンツデータを再生しなくとも，カバービデオ情報を再生して情報記録媒体に記録されているコンテンツデータの内容を確認することができる。また，各情報記録媒体に予め設定されている個体識別情報を獲得するだけで，カバービデオ情報を再生することが可能となる。したがって，情報記録媒体を該情報処理装置に挿入して，情報記録媒体に記録されているコンテンツデータを読み出さなくても，情報記録媒体に記録されているコンテンツデータの内容を確認することができる。
【００２０】
また，上記個体識別情報獲得装置は，コンテンツデータを読み出す読み出し装置と同系の装置として構成されていてもよい。すなわち，個体識別情報獲得装置とコンテンツデータを読み出す読み出し装置のハードウエアやソフトウエアが同系の装置として，構成される。例えば，光ディスクなどの情報記録媒体は，レーザ光を当てその反射光を読み取る光ディスク読み取り装置などにより，情報記録媒体に記録されているコンテンツデータを読み出すことができる。情報記録媒体に記録されているコンテンツデータを読み出す方法と同様の方法により，光ディスク読み取り装置を含む情報処理装置に情報記録媒体を挿入して，情報記録媒体に記録されている個体識別情報を読み出してもよい。
【００２１】
また，上記個体識別情報獲得装置は，コンテンツデータを読み出す読み出し装置とは，別系の装置として構成されていてもよい。すなわち，個体識別情報獲得装置と，コンテンツデータを読み出す読み出し装置のハードウエアやソフトウエアが異なる装置として，構成される。例えば，コンテンツデータを読み出す読み出し装置とは別の装置として，ユーザが個体識別情報を入力することができる個体識別情報入力装置を用いてもよいし，情報記録媒体に物理的に刻印された個体識別情報を撮像して，画像認識処理により読み出す読み出し装置を用いることもできる。
【００２２】
かかる構成により，情報記録媒体に予め設定されている個体識別情報をユーザが入力したり，情報記録媒体に刻印された個体識別情報を画像認識処理により読み出したりすることにより，情報記録媒体を該情報処理装置に挿入して情報記録媒体の個体識別情報を読み出さなくても，個体識別情報を認識することが可能となる。
【００２３】
また，カバービデオ情報とコンテンツデータを，同一の情報記録媒体に記録し，個体識別情報に基づいて，情報記録媒体から対応するカバービデオ情報を選択して再生してもよい。かかる構成により，カバービデオ情報とコンテンツデータとは，同一の情報記録媒体に記録されるので，情報記録媒体を該情報処理装置に挿入して，情報記録媒体に記録されているカバービデオ情報を読み出して再生することができる。
【００２４】
また，カバービデオ情報と個体識別情報とを相互に関連付けて，情報記録媒体とは別体の記録装置に記録し，個体識別情報に基づいて，記録装置から対応するカバービデオ情報を選択して再生してもよい。かかる構成により，カバービデオ情報と個体識別情報とが相互に関連付けられて，情報記録媒体とは別体の記録装置に記録されるので，情報記録媒体を該情報処理装置に挿入して，情報記録媒体に記録されている内容を読み出さなくても，情報記録媒体とは別体の記録装置に記録されているカバービデオ情報を再生して，情報記録媒体の内容を素早く確認することが可能となる。
【００２５】
また，カバービデオ情報は，情報処理装置により情報記録媒体の挿入が認識された時点から，コンテンツデータの再生が可能となった時点まで再生可能としてもよい。さらに，カバービデオ情報は，情報処理装置により情報記録媒体の挿入が認識された時点から，コンテンツデータを特定可能な１または２以上のサムネイルデータの表示が可能となった時点まで再生可能としてもよい。
【００２６】
これにより，情報記録媒体が情報処理装置に挿入されてから，サムネイルデータが表示されるまで，またはコンテンツデータが再生されるまでの待ち時間にカバービデオ情報を再生することができる。したがって，ユーザは，情報記録媒体に記録されているサムネイルデータが表示され，コンテンツデータが再生されるまでの待ち時間を意識することなく，さらには待ち時間を利用して情報記録媒体に記録されているコンテンツデータの内容を素早く確認することもできる。
【００２７】
上記課題を解決するために，本発明の別の観点によれば，情報処理装置により，個体識別情報が予め設定された情報記録媒体に記録される／記録されたコンテンツデータを管理する情報処理方法が提供される。この情報処理方法は，カバービデオ情報生成装置により，カバービデオコンテンツデータを特定可能な動画データをカバービデオ情報として生成する工程と，コンテンツデータ管理装置により，コンテンツデータが記録される／記録された情報記録媒体の個体識別情報と，カバービデオ情報とを関連付けて管理する工程とから成ることを特徴とする。
【００２８】
また，上記課題を解決するために，本発明の別の観点によれば，情報処理装置により，個体識別情報が予め設定された情報記録媒体に記録される／記録されたコンテンツデータを管理する情報処理方法が提供される。この情報処理方法は，コンテンツデータ管理装置により，コンテンツデータが記録される／記録された情報記録媒体の個体識別情報と，コンテンツデータを特定可能なカバービデオ情報とを関連付けて管理する工程と，個体識別情報獲得装置により，個体識別情報を獲得する個体識別情報獲得工程と，カバービデオ情報再生装置により，個体識別情報に基づいて，対応するカバービデオ情報を選択して再生するカバービデオ情報再生工程とから成ることを特徴とする。
【００２９】
上記課題を解決するために，本発明の別の観点によれば，個体識別情報が予め設定された情報記録媒体に記録される／記録されたコンテンツデータを管理するプログラムが提供される。このプログラムは，コンテンツデータを特定可能な動画データをカバービデオ情報として生成する手順と，コンテンツデータが記録される／記録された情報記録媒体の個体識別情報と，カバービデオ情報とを関連付けて管理する手順とを実行させるためのプログラムを含む。
【００３０】
また，上記課題を解決するために，本発明の別の観点によれば，個体識別情報が予め設定された情報記録媒体に記録される／記録されたコンテンツデータを管理するプログラムが提供される。このプログラムは，コンテンツデータが記録される／記録された情報記録媒体の前記個体識別情報と，コンテンツデータを特定可能なカバービデオ情報とを関連付けて管理する手順と，個体識別情報を獲得する個体識別情報獲得手順と，個体識別情報に基づいて，対応するカバービデオ情報を選択して再生するカバービデオ情報再生手順とを実行させるためのプログラムを含む。
【発明の効果】
【００３１】
以上説明したように本発明によれば，情報記録媒体に記録されたコンテンツデータの内容を想起させることができ，情報記録媒体に記録されたコンテンツデータより再生時間が短いカバービデオ情報を再生することにより，単時間で容易に情報記録媒体に記録されているコンテンツデータの内容を確認することができる。また，本発明によれば，情報記録媒体の個体識別情報と，カバービデオ情報とを関連付けて管理するので，情報記録媒体の個体識別情報さえわかれば，カバービデオ情報を再生して情報記録媒体に記録されているコンテンツデータの内容を確認することができる。
【発明を実施するための最良の形態】
【００３２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３３】
まず始めに，本発明の概念の理解を容易にするために，本実施形態において用いられる，情報記録媒体，個体識別情報およびカバービデオ情報について説明する。
【００３４】
本実施形態において用いられる情報記録媒体は，各種情報を電気的，磁気的または光学的に書き込んだり，読み出したりする記録媒体である。本発明の例として，情報記録媒体に，光ディスクのような光学的に読み書き可能なディスクを用いる。ディスクには，例えば，画像データや音声データなどを記録することができる。光ディスクを回転させ，レーザ光を当てて，その反射光の量を光ディスク読み取り装置等が感知することにより，光ディスクに記録されている情報を読み取ることができる。
【００３５】
また，各情報記録媒体には，予め，情報記録媒体を識別するための個体識別情報が設定されている。個体識別情報は，各情報記録媒体に固有のものであり，情報記録媒体の内部に電子的に記録されていてもよいし，情報記録媒体の表面に物理的に表示されていてもよい。個体識別情報が情報記録媒体の内部に電子的に記録されている場合，上述した光ディスクの情報を読み取る方法と同様の方法で，情報記録媒体に記録されている個体識別情報を読み取ることができる。
【００３６】
また，個体識別情報が情報記録媒体の表面に物理的に表示されている場合，ユーザが視覚的に個体識別情報を認識することもできるし，ユーザがビデオカメラ等の撮像装置によって個体識別情報を撮像し，画像認識処理により個体識別情報を読み取ることもできる。
【００３７】
また，カバービデオ情報とは，情報記録媒体に記録されているコンテンツデータの特徴的な内容を表すものであり，情報記録媒体に記録されたコンテンツデータより再生時間が短い動画データである。
【００３８】
図１〜図３を基に，本実施形態におけるカバービデオ情報の設定方法について説明する。図１は，本実施形態の情報記録媒体へのコンテンツデータと，カバービデオ情報の記録方法の例を示したものである。情報記録媒体に記録されているコンテンツデータは，複数のサブコンテンツデータから構成されている。ここで，サブコンテンツデータとは，コンテンツデータを構成する要素であり，動画データからなる。例えば，図１では，１２２−１〜１２２−ｎまでのサブコンテンツデータがまとめられて，コンテンツデータを構成している。
【００３９】
また，図１に示したディスクＩＤｘとは，上述した，情報記録媒体に予め設定されている情報記録媒体を識別するための個体識別情報である。また，個体識別情報であるディスクＩＤｘは，例えば，所定の桁数の数字や文字等を組み合わせて表される。
【００４０】
図１に示したように，カバービデオ情報１２４ａは，情報記録媒体の最後に記録されたサブコンテンツデータ１２２−ｎの，頭からＴｃ時間までのサブコンテンツデータの一部を記録する。ここで，サブコンテンツデータ１２２−１〜１２２−ｎは，ユーザが記録した順番に，先頭から末尾に向かって記録される。このように，カバービデオ情報１２４ａを，最新に記録されたサブコンテンツデータ１２２−ｎから生成することは，ユーザの記憶に一番新しい情報記録媒体に関する情報を管理することとなり，ユーザが容易に情報記録媒体の内容を連想する手助けとなる。
【００４１】
カバービデオ情報として記録される動画データの長さ０〜Ｔｃは，固定長としてもよいし，可変長としてもよい。例えば，最後に記録されたサブコンテンツデータ１２２−ｎの長さ０〜Ｔｅが，カバービデオ情報の動画データの固定長よりも短い場合，カバービデオ情報の動画データの長さ０〜Ｔｃは，コンテンツデータの長さ０〜Ｔｅと等しくてもよい。
【００４２】
次に，サブコンテンツデータが追加された場合のコンテンツデータとカバービデオ情報の記録方法を図２に示す。サブコンテンツデータが追加されると，最後に記録されたサブコンテンツデータが，サブコンテンツデータ１２２−ｎから１２２−ｎ＋１に更新される。最後に記録されたサブコンテンツデータが更新されると，図２に示したように，カバービデオ情報１２４ｂには，サブコンテンツデータ１２２−ｎ＋１の，頭からＴｃ時間までのサブコンテンツデータの一部が記録される。このように，サブコンテンツデータが追加される都度，カバービデオ情報が更新される。
【００４３】
図１および図２に示したように，カバービデオ情報に常に最新のコンテンツデータの一部を記録することは，ユーザが容易に情報記録媒体の内容を連想する手助けとなる。例えば，ユーザが，旅行に行く度にデジタルビデオカメラ等の撮像装置で，１の情報記録媒体に旅行先の風景を撮像していたとする。１の情報記録媒体には，いくつかの旅行先の風景が，次々と追加されて記録される。この場合，最新のコンテンツデータとは，ユーザが最後に１の情報記録媒体に記録したコンテンツデータである。したがって，最新のコンテンツデータの一部を記録することは，ユーザの記憶に一番新しい情報を提供することとなる。
【００４４】
次に，情報記録媒体へのコンテンツデータと，カバービデオ情報の別の記録方法について説明する。図３に示したように，カバービデオ情報１２４ｃに，サブコンテンツデータ１２２−１〜１２２−ｎのそれぞれ一部を記憶させることもできる。例えば，カバービデオ情報として記録される動画データの長さを１２秒の固定長とし，４のサブコンテンツデータが情報記録媒体に記録されている場合，各サブコンテンツデータから３秒ずつ動画データを取り出して，カバービデオ情報を設定してもよい。また，カバービデオ情報として記録される動画データの長さを可変長とし，１２のサブコンテンツデータが情報記録媒体に記録されている場合，各サブコンテンツデータから，１秒ずつ動画データを取り出して，１２秒の動画データとしてカバービデオ情報を設定してもよい。
【００４５】
情報記録媒体に記録されている複数のコンテンツデータがそれぞれまったく関連性のないコンテンツデータである場合でも，図３のように設定されたカバービデオ情報を確認することにより，情報記録媒体の内容を短時間で連想することが可能となる。
【００４６】
また，コンテンツデータの中から，ユーザにとって一番印象深いと思われるコンテンツデータの一部を抽出して，カバービデオ情報として設定してもよい。
【００４７】
また，カバービデオ情報は，情報記録媒体に記録されているコンテンツデータに関連する情報であればよく，コンテンツデータに関連する動画データを外部から入力して，カバービデオ情報として設定することも可能である。例えば，コンテンツデータに関連する動画データをパーソナルコンピュータで作成して，カバービデオ情報として設定してもよいし，別の情報記録媒体のコンテンツデータの一部をカバービデオ情報として設定してもよい。
【００４８】
また，例えば，撮影した日付や撮影者などのコンテンツデータに関連する付加情報を，後からカバービデオ情報に付加してもよいし，自動的にカバービデオ情報に付加するようにしてもよい。上述したカバービデオ情報の設定方法は，ユーザが選択できるように構成してもよい。
【００４９】
以上，カバービデオ情報の設定方法について説明した。次に，本実施形態の概略的な構成を説明する。
【００５０】
情報処理装置１００は，例えばハンディカムのデジタルビデオカメラなどで，映像や音声をデジタルデータとして記録するビデオカメラである。また，上記の情報処理装置を構成する装置は例示的なものであり，他の装置を加えたり，不要な装置を除いたりしてもよい。
【００５１】
コンテンツデータ入力装置２００は，ＣＣＤ（Ｃｈａｒｇｅ  Ｃｏｕｐｌｅｄ  Ｄｅｖｉｃｅ）のような画像を撮像する撮像装置と，動画データを外部から入力することが可能な外部入力装置とから主に構成されている。コンテンツデータ入力装置２００で入力されたコンテンツデータが，コンテンツデータ記録装置３００に供給される。
【００５２】
コンテンツデータ記録装置３００は，コンテンツデータ入力装置２００において入力されたコンテンツデータを圧縮して，コンテンツデータを符号化する圧縮装置３１０と，圧縮装置３１０において圧縮されたコンテンツデータからカバービデオ情報を生成するカバービデオ情報生成装置３２０とから主に構成されている。カバービデオ情報生成装置３２０で生成するカバービデオ情報は，上述したように，情報記録媒体に記録されているコンテンツデータの特徴的な内容を表すものであり，情報記録媒体に記録されたコンテンツデータより再生時間が短い動画データである。
【００５３】
コンテンツデータ記録再生装置３００は，さらにサムネイルデータ生成装置３１５を備えてもよい。サムネイルデータ生成装置３１５は，コンテンツデータ入力装置２００において入力されたコンテンツデータを特定するサムネイルデータを生成して，情報記録媒体１２０に記録する装置である。ここで，サムネイルデータとは，コンテンツデータを特定する画像をＪＰＥＧ（Ｊｏｉｎｔ  Ｐｈｏｔｏｇｒａｐｈｉｃ  Ｅｘｐｅｒｔｓ  Ｇｒｏｕｐ）などで圧縮した画像である。例えば，コンテンツデータ入力装置２００において入力されたコンテンツデータの最初の画像を圧縮して，サムネイルデータとして情報記録媒体に記録してもよい。  図５に基づいて，サムネイルデータについて詳しく説明する。図５は，サムネイルデータの構成を示す説明図である。１のサムネイルデータ３５２は，固定サイズのデータであり，サムネイルデータとサムネイルデータの有効データサイズとを含んで構成される。サムネイルデータは，情報記録媒体１２０に記録されるコンテンツデータごとに生成される。したがって，情報記録媒体１２０には，１または２以上のサムネイルデータが記録され，サムネイルデータファイル３５１が生成される。サムネイルデータファイル３５１は，サムネイル管理ファイル３５０により管理される。サムネイル管理ファイル３５０は，サムネイルデータとコンテンツデータを関連付けて管理するファイルである。サムネイル管理ファイル３５０により，サムネイルデータファイル３５１のサムネイルデータが，情報記録媒体に記録されているどのコンテンツデータのサムネイルデータであるかを管理することができる。以上，サムネイルデータの構成について説明した。
【００５４】
図４に戻り，コンテンツデータ管理装置４００は，カバービデオ情報記憶装置４１０を含んで構成される。カバービデオ情報記憶装置４１０は，例えば，読み書き処理の早い半導体メモリなどを用いた記憶媒体である。また，カバービデオ情報記憶装置４１０は，該情報処理装置に内蔵していてもよいし，メモリスティックなどを用いて抜き差しできるようにしてもよい。コンテンツデータ管理装置４００は，コンテンツデータ記録装置３００，制御装置６００およびカバービデオ情報再生装置７００から供給された個体識別情報，カバービデオ情報等情報記録媒体に関連する情報とを相互に関連付けてカバービデオ情報記憶装置４１０に記憶させる。
【００５５】
このように，情報記録媒体１２０とは別体のカバービデオ情報記憶装置４１０に，個体識別情報とカバービデオ情報とを関連付けて記憶させることにより，例えば情報記録媒体１２０が情報処理装置１００に装着されていない場合でも，情報記録媒体１２０の内容を確認することが可能となる。
【００５６】
また，情報記録媒体１２０を入れ替えて，複数の情報記録媒体のカバービデオ情報を１のカバービデオ情報記憶装置４１０に記憶させてもよい。これにより，情報処理装置１００に挿入されていない，複数の情報記録媒体を管理することが可能となる。
【００５７】
また，例えば，カバービデオ情報記憶装置４１０に記録容量の制限がある場合，長い間参照されていないカバービデオ情報を削除して，最新のカバービデオ情報を記憶してもよい。カバービデオ情報の削除は，ユーザが削除したいカバービデオ情報を選択して削除するようにしてもよいし，古いカバービデオ情報を自動的に削除するようにしてもよい。
【００５８】
個体識別情報獲得装置５００は，情報記録媒体１２０に予め設定されている個体識別情報である個体識別情報を獲得して，制御装置６００に供給する。個体識別情報の獲得方法としては，情報記録媒体に記録されているコンテンツデータを読み出す方法と同様な方法で，情報記録媒体１２０の内部に電子的に記録されている個体識別情報を読み出す方法がある。また，コンテンツデータ入力装置２００の撮像装置において，情報記録媒体の表面に刻印されている個体識別情報を撮像することにより，個体識別情報を読み出すことも可能であり，さらには，個体識別情報入力装置１１０から入力された個体識別情報を獲得することも可能である。
【００５９】
情報記録媒体の表面に刻印されている個体識別情報を撮像して個体識別情報を読み取る場合，または個体識別情報入力装置１１０から入力された個体識別情報を読み取る場合，情報記録媒体１２０を情報処理装置１００に装着せずとも，個体識別情報を獲得することが可能となる。
【００６０】
情報記録媒体内部に電子的に記録されている個体識別情報は，情報処理装置１００に情報記録媒体１２０を装着して，情報記録媒体を回転させ，レーザ光を当てて，その反射光の量を光ディスク読み取り装置等が感知することにより読み取られる。したがって，情報記録媒体１２０の内部に電子的に記録されている個体識別情報を読み取る場合に比べ，情報記録媒体の表面に刻印されている個体識別情報を撮像して個体識別情報を読み取る場合，または個体識別情報入力装置１１０により入力された個体識別情報を読み取る場合のほうが，素早く個体識別情報を獲得することができる。
【００６１】
制御装置６００は，個体識別情報獲得装置５００により獲得された個体識別情報を，コンテンツデータ記録装置３００とコンテンツデータ管理装置４００とカバービデオ情報再生装置７００に供給する。
【００６２】
カバービデオ情報再生装置７００は，カバービデオ情報記憶装置４１０に記憶されているカバービデオ情報を選択するカバービデオ情報選択装置７２０と，カバービデオ情報選択装置７２０で選択されたカバービデオ情報または情報記録媒体１２０に記録されているコンテンツデータを解凍して，符号化されたデータを復号する解凍装置７１０とから主に構成されている。
【００６３】
さらに，カバービデオ情報再生装置７００は，情報記録媒体１２０に記録されているサムネイルデータを解凍して，符号化されたデータを復号するサムネイルデータ解凍装置７１５を備えてもよい。サムネイルデータ解凍装置７１５により解凍され復号されたサムネイルデータは，コンテンツデータ表示装置８００に表示される。
【００６４】
ユーザは，カバービデオ情報記憶装置４１０に記憶されているカバービデオ情報を再生することにより，情報記録媒体１２０を情報処理装置１００に挿入しなくとも，情報記録媒体１２０の内容を確認することが可能となる。
【００６５】
また，コンテンツデータ表示装置８００は，例えば，液晶画面などの画像を表示する装置であって，カバービデオ情報再生装置７００から供給されたコンテンツデータまたはカバービデオ情報を表示する。
【００６６】
また，コンテンツデータ表示装置８００は，カバービデオ情報生成装置７００から供給されたサムネイルデータを表示することもできる。図６は，サムネイルデータの表示例である。図６に示したように，コンテンツデータ表示装置８００には，コンテンツデータを特定する画像を縮小した１または２以上のサムネイルデータが表示され，コンテンツサムネイルメニューとして表示される。上述したように，各サムネイルデータは，対応するコンテンツデータに関連付けられて管理されているため，サムネイルデータを選択して対応するコンテンツデータを再生させることができる。例えば，表示されたサムネイルデータ３５１１〜３５１８のなかからサムネイルデータ３５１１が選択されると，選択されたサムネイルデータ３５１１に関連付けられたコンテンツデータが再生される。
【００６７】
以上，本実施形態にかかる情報処理装置の概略図について説明した。次にコンテンツデータ記録装置３００にかかる，コンテンツデータおよびカバービデオ情報の記録方法を説明する。
【００６８】
図７に示したように，コンテンツデータ入力装置２００は撮像装置２１０と外部入力２２０からなる。撮像装置２１０は，例えば，デジタルビデオカメラなどのＣＣＤを備えた画像を撮像する撮像装置である。撮像装置２１０において撮像された画像が，コンテンツデータとして，コンテンツデータ記録装置３００に供給される。また，上述したカバービデオ情報も，撮像装置２１０において撮像されたコンテンツデータから生成することができる。さらには，サムネイルデータも，撮像装置２１０において撮像されたコンテンツデータから生成することができる。
【００６９】
また，カバービデオ情報は，コンテンツデータを特定できる動画データであればよい。例えば，外部入力２２０から，パーソナルコンピュータで作成した動画データを入力することもできるし，該情報処理装置に挿入されている情報記録媒体１２０とは別の情報記録媒体のコンテンツデータの一部を入力することもできる。
【００７０】
また，サムネイルデータは，コンテンツデータを特定できる画像データである。コンテンツデータの最初の画像をサムネイルデータとしてもよいし，外部入力２２０から，パーソナルコンピュータで作成した画像データを入力してサムネイルデータとしてもよい。
【００７１】
制御装置６００は，ユーザが選択した入力方法に従って，コンテンツデータやカバービデオ情報を撮像装置２１０から得るのか，もしくは外部入力２２０から得るのかを判断する。
【００７２】
コンテンツデータ入力装置２００からコンテンツデータ記録装置３００に供給されたコンテンツデータは，圧縮装置３１０によって圧縮され，符号化される。さらに，圧縮装置３１０により符号化されたコンテンツデータがカバービデオ情報生成装置３２０に供給され，カバービデオ情報生成装置３２０において，コンテンツデータの一部がカバービデオ情報として生成される。また，外部入力２２０から入力された動画データを，カバービデオ情報として生成してもよい。
【００７３】
圧縮装置３１０において圧縮されたコンテンツデータは，バッファ１２２を介して情報記録媒体１２０に記録される。その後，カバービデオ情報生成装置３２０において生成されたカバービデオ情報も，バッファ１２２を介して情報記録媒体１２０に記録される。このとき，制御装置６００は，コンテンツデータを情報記録媒体１２０に記録するか，カバービデオ情報を情報記録媒体１２０に記録するかを判断して，切り替えを行う。
【００７４】
また，サムネイルデータ生成装置３１０は，撮像装置２１０により撮像されたコンテンツデータの最初の画像をＪＰＥＧなどで圧縮して，サムネイルデータとして情報記録媒体１２０に記録する。複数のサブコンテンツデータが情報記録媒体１２０に記録される場合には，サブコンテンツデータとサムネイルデータが関連付けられて情報記録媒体１２０に記録される。
【００７５】
以上，コンテンツデータおよびカバービデオ情報の記録方法を説明した。次に，圧縮装置３１０にかかる，コンテンツデータの圧縮方法を説明する。
【００７６】
図８は，画像データを圧縮する方法を示した一般的な図である。コンテンツデータ入力装置２００（図示せず）より入力されたコンテンツデータのオーディオベースバンド信号は，オーディオバッファ（Ａ  ｂｕｆ３１２）を経由して，オーディオ符号化器（Ａ  ｅｎｃ３１４）にてオーディオ圧縮符号化データとなる。一方，コンテンツデータ入力装置２００より入力されたコンテンツデータのビデオベースバンド信号は，ビデオバッファ（Ｂ  ｂｕｆ３１６）を経由して，ビデオ符号化器（Ｖ  ｅｎｃ３１８）にてビデオ圧縮符号化データとなる。オーディオ圧縮符号化データとビデオ圧縮符号化データはマルチプレクサ（Ｍｕｘ３２０）によって，信号がまとめられ，コンテンツデータの圧縮データが生成される。
【００７７】
以上，圧縮装置３１０にかかる，コンテンツデータの圧縮方法を説明した。次に，個体識別情報とカバービデオ情報の関連付け方法について，図９に基づいて説明する。
【００７８】
個体識別情報獲得装置５００は，情報記録媒体１２０から，バッファ１２２を介して，情報記録媒体１２０の個体識別情報を獲得する。また，上述したように，カバービデオ情報生成装置において，情報記録媒体１２０のカバービデオ情報が生成される。個体識別情報獲得装置５００において獲得された個体識別情報が，制御装置６００に供給される。コンテンツデータ管理装置４００（図示せず）は，カバービデオ情報生成装置３２０において生成されたカバービデオ情報と，制御装置６００に供給された個体識別情報を関連付けて，カバービデオ情報記憶装置４１０に記憶させる。
【００７９】
このように，情報記録媒体１２０とは別体のカバービデオ情報記憶装置４１０に個体識別情報とカバービデオ情報とを関連付けて記憶させておくことにより，情報記録媒体１２０が該情報処理装置に挿入されていなくとも，カバービデオ情報記憶装置４１０に記憶されているカバービデオ情報を再生して，情報記録媒体１２０の内容を確認することが可能となる。
【００８０】
ここで，個体識別情報獲得装置は，図１０に示したように，個体識別情報読み出し装置５１２と，画像認識装置５１４を含む。上述したように，個体識別情報とカバービデオ情報を関連付けてカバービデオ情報記憶装置４１０に記憶させる場合は，情報記録媒体１２０からバッファ１２２を介して個体識別情報読み出し装置で個体識別情報が獲得される。
【００８１】
以上，個体識別情報とカバービデオ情報の関連付けについて説明した。次にカバービデオ情報記憶装置４１０に記憶される，カバービデオ情報およびコンテンツデータの関連情報について説明する。図１１に，カバービデオ情報およびコンテンツデータの関連情報の記憶方法の例を示す。カバービデオ情報記憶装置４１０には，カバービデオ情報４０７に対応付けられた個体識別情報４０２,情報記録媒体のファイル名４０４およびタイムスタンプ４０６が記憶されている。
【００８２】
ここで，個体識別情報は，情報記録媒体固有のもの（例えば１１１１００３９）であるが，ユーザが利用しやすいＩＤ（例えば２００４ａｂｃｄ）を関連付けて記憶させてもよい。また，ファイル名４０４は，情報記録媒体に記録されているファイル名を読み出して記憶させてもよいし，ユーザが指定したファイル名を記憶させてもよい。タイムスタンプ４０６は，情報記録媒体に記録されており，カバービデオ情報が生成された時刻を示すタイムスタンプである。
【００８３】
図１１に示したように，カバービデオ情報記憶装置４１０には，複数のカバービデオ情報を記憶することが可能である。また，カバービデオ情報に関連する項目であれば，図１１に示した項目だけでなく，コンテンツデータを記憶した場所やコンテンツデータを撮影した撮影者等を追加することもできる。また，カバービデオ情報記憶装置に記憶したカバービデオ情報をいつまで記憶させておくかを判断するための記憶期限のような，期限に関する項目を設けてもよいし，カバービデオ情報を参照した時期を示す項目を追加することもできる。
【００８４】
カバービデオ情報記憶装置４１０の記憶容量に制限がある場合，カバービデオ情報の参照時期が古いものを自動的に削除して，新規にカバービデオ情報を追加してもよいし，ユーザが削除したいカバービデオ情報を選択できるようにしてもよい。
【００８５】
また，図１１に示したカバービデオ情報記憶装置４１０では，個体識別情報とカバービデオ情報が関連付けられて記憶されているため，個体識別情報をキーとして，カバービデオ情報を検索することができる。また，タイムスタンプ４０６は，カバービデオ情報が生成された日付や時間等が記憶されるので，カバービデオ情報が変更しているか否かの判断は，タイムスタンプが変更されているか否かを確認すればよい。
【００８６】
以上，カバービデオ情報記憶装置４１０における，カバービデオ情報およびコンテンツデータの関連情報の記憶方法について説明した。次に，コンテンツデータおよびカバービデオ情報の再生方法について説明する。
【００８７】
まず，図１２に基づきカバービデオ情報再生装置７００にかかる，コンテンツデータとカバービデオ情報の再生方法を説明する。情報記録媒体１２０に記録されているコンテンツデータは，バッファ１２２を介してコンテンツデータ解凍装置７１０に供給される。一方，情報記録媒体に記録されているカバービデオ情報は，情報記録媒体１２０からバッファ１２２を介してカバービデオ情報選択装置７２０に供給される。
【００８８】
また，カバービデオ情報選択装置７２０には，情報記録媒体１２０とは別体のカバービデオ情報記憶装置（図示せず）からも，カバービデオ情報が供給される。カバービデオ情報選択装置７２０は，情報記録媒体１２０に記録されているカバービデオ情報または，情報記録媒体１２０とは別体のカバービデオ情報記憶装置に記憶されているカバービデオ情報を選択する。カバービデオ情報の選択方法については後述するが，カバービデオ情報選択装置７２０により選択されたカバービデオ情報は，コンテンツデータ解凍装置７１０に供給される。
【００８９】
制御装置６００は，コンテンツデータを再生するか，カバービデオ情報を再生するかを判断して，再生切り替えを行う。コンテンツデータ解凍装置７１０は，圧縮されたコンテンツデータまたはカバービデオ情報を復号して，コンテンツデータ表示装置８００に供給する。これにより，コンテンツデータまたはカバービデオ情報がコンテンツデータ表示装置８００にて表示される。
【００９０】
また，情報記録媒体１２０に記録されているサムネイルデータは，バッファ１２２を介してサムネイルデータ解凍装置７１５に供給される。制御装置６００は，コンテンツデータ情報解凍装置７１０により解凍されたコンテンツデータまたはカバービデオ情報を再生するか，サムネイルデータ解凍装置７１５により解凍されたサムネイルデータを表示するかを判断して，切り替えを行う。サムネイルデータ解凍装置７１５によりサムネイルデータを供給されたコンテンツデータ表示装置８００は，サムネイルデータを表示する。
【００９１】
カバービデオ情報は，コンテンツデータの特徴的な内容を表し，コンテンツデータより再生時間が短い動画データである。したがって，カバービデオ情報を再生すれば，ユーザは素早くしかも容易に情報記録媒体の内容を確認することができる。
【００９２】
以上，コンテンツデータおよびカバービデオ情報の再生方法を説明した。次に，コンテンツデータ解凍装置７１０における，解凍方法を詳細に説明する。
【００９３】
図１３は，コンテンツデータ解凍装置７１０における，コンテンツデータおよびカバービデオ情報の解凍方法を示す図である。コンテンツデータおよびカバービデオ情報は，デマルチプレクサ（ＤｅＭｕｘ）７１２にて，オーディオ圧縮符号化データおよびビデオ圧縮符号化データに分離され，オーディオ圧縮符号化データは，オーディオバッファ（Ａ  ｂｕｆ７１４）を経由してオーディオデコーダ（Ａ  ｄｅｃ７１６）にて符号化データが復元される。ビデオ圧縮符号化データは，ビデオバッファ（Ｖ  ｂｕｆ７１８）を経由して，ビデオデコーダ（Ｖ  ｄｅｃ７１９）にて符号化データが復元される。
【００９４】
以上，コンテンツデータ解凍装置７１０における解凍方法について説明した。次に，図１４に基づき，カバービデオ情報選択装置７２０にかかる，カバービデオ情報の選択方法について説明する。
【００９５】
まず，個体識別情報獲得装置５００により，個体識別情報が獲得される。個体識別情報獲得装置５００は，図１０に示すように，個体識別情報読み出し装置５１２と画像認識装置５１４を含む。情報記録媒体１２０から個体識別情報を読み取る場合，情報記録媒体１２０からバッファ１２２を介して，個体識別情報が個体識別情報読み出し装置５１２に供給される。一方，情報記録媒体１２０の表面に刻印されている個体識別情報を撮像して個体識別情報を読み出す場合，撮像装置２１０で撮像された個体識別情報が画像認識装置５１４に供給される。
【００９６】
個体識別情報読み出し装置５１２によって個体識別情報が獲得される場合，情報記録媒体１２０が該情報処理装置に挿入されていなければならないが，画像認識装置５１４によって個体識別情報が獲得される場合は，情報記録媒体１２０を撮像装置２１０にかざすだけでよい。また，個体識別情報読み出し装置５１２に挿入された情報記録媒体１２０の内部に電子的に記録されている個体識別情報を読み出すには，上述したように，情報記録媒体１２０を回転させ，レーザ光を当てて，その反射光の量を光ディスク読み取り装置等に感知させなければならない。したがって，画像認識装置５１４によって個体識別情報を獲得する処理時間は，個体識別情報読み出し装置５１２によって獲得する処理時間より短く，画像認識装置５１４に個体識別情報を獲得させるほうが，素早く個体識別番号を認識することができる。
【００９７】
個体識別情報を獲得する方法としては，ユーザが情報記録媒体１２０の表面に物理的に表示されている個体識別情報を視覚的に認識して，ユーザが入力した個体識別情報を読み取る方法も考えられる。どのように個体識別情報を獲得するかについては，ユーザによって選択することもできる。また，ユーザによって該情報処理装置に情報記録媒体１２０が挿入されると，自動的に情報記録媒体１２０の内部に電子的に記録されている個体識別情報が読み取られるようにしてもよい。
【００９８】
ユーザが，上述した個体識別情報獲得方法の何れかを選択した場合，個体識別情報獲得装置５００は，ユーザが選択した個体識別情報獲得方法にしたがって，個体識別情報を獲得する。図１５は，ユーザが個体識別情報獲得方法を選択する処理の流れを表すフローチャートである。
【００９９】
図１５に示したように，ユーザは，上述した３つの個体識別情報獲得方法のなかから，獲得方法を指定することができる（Ｓ１０１）。情報記録媒体から個体識別情報を獲得する方法を指定した場合，情報記録媒体の内部に電子的に記録されている個体識別情報を読み取ることにより，個体識別情報が獲得される（Ｓ１０２）。前述したＣＣＤ等を含む撮像装置によって個体識別情報を撮像し，個体識別情報の画像を認識して個体識別情報を獲得する方法を指定した場合，画像認識結果から個体識別情報を読み取ることにより，個体識別情報が獲得される（Ｓ１０３）。また，ユーザが個体識別情報を指定する方法を指定した場合，ユーザによって入力された個体識別情報を読み取ることにより，個体識別情報が獲得される（Ｓ１０４）。
【０１００】
ユーザが個体識別情報獲得方法を指定することにより，ユーザの状況に合った個体識別情報獲得方法が提供される。例えば，ある情報記録媒体が該情報処理装置に挿入されているが，ユーザは，挿入されている情報記録媒体とは別の情報記録媒体の内容を確認したい，という状況が考えられる。この場合，挿入されている情報記録媒体から個体識別情報を獲得するのではなく，ユーザ入力から個体識別情報を獲得するように指定しておけばよい。また，ユーザが複数の情報記録媒体の内容を確認したいという状況が考えられる。この場合，画像認識結果から個体識別情報を獲得するように指定しておけば，ユーザは，撮像装置に各情報記録媒体をかざすだけで，つぎつぎに情報記録媒体の内容を確認していくことができる。
【０１０１】
図１４に戻り，上述したような方法により，個体識別情報獲得装置５００において獲得された個体識別情報は，制御装置６００を介して，カバービデオ情報記憶装置４１０に供給される。カバービデオ情報記憶装置４１０には，個体識別情報と関連付けられてカバービデオ情報が記憶されているので，個体識別情報をキーにして，カバービデオ情報記憶装置４１０に記憶されているカバービデオ情報を検索することができる。カバービデオ情報記憶装置４１０で検索されたカバービデオ情報は，カバービデオ情報選択装置７２０に供給される。また，カバービデオ情報記憶装置４１０に該当するカバービデオ情報が存在しない場合，情報記録媒体１２０からカバービデオ情報を選択することも可能である。
【０１０２】
上述したように，カバービデオ情報記憶装置４１０は，半導体メモリのような記憶媒体であり，例えば読み書き可能で，外部から電力を供給しなくても，記憶された内容が消えないフラッシュメモリなどが含まれる。よって，カバービデオ情報記憶装置４１０に記憶されているカバービデオ情報が選択されて再生されれば，ユーザは，情報記録媒体１２０のカバービデオ情報が選択されて再生される場合よりも，素早く情報記録媒体１２０の内容を確認することができる。また，該情報処理装置に情報記録媒体１２０が挿入されていなくても，個体識別情報を獲得するだけで，ユーザが確認したい情報記録媒体１２０の内容を素早く確認することができる。
【０１０３】
以上，カバービデオ情報の選択方法について詳しく説明した。次に，上述した３つの個体識別情報獲得方法によって，それぞれ該情報処理装置内でどのような処理が行われ，カバービデオ情報が表示されるかについて説明する。
【０１０４】
図１６は，該情報処理装置が個体識別情報を獲得して，カバービデオ情報を表示するまでの処理の流れを示したフローチャートである。
【０１０５】
まず，個体識別情報がどのような方法で獲得されたかを判定する（Ｓ２０２）。個体識別情報の獲得方法は，上述したように，該情報処理装置に挿入された情報記録媒体から個体識別情報を獲得する方法と，ＣＣＤ等を含む撮像装置によって個体識別情報を撮像し，個体識別情報の画像を認識して個体識別情報を獲得する方法と，ユーザ入力から個体識別情報を獲得する方法がある。工程Ｓ２０２では，個体識別情報を情報記録媒体から獲得するのかどうかを判定する。
【０１０６】
個体識別情報の獲得方法が，情報記録媒体から獲得する方法ではない場合，つまり，個体識別情報の画像を認識して個体識別情報を獲得する方法，またはユーザ入力から個体識別情報を獲得する方法の場合，工程Ｓ２０４の判定を行う。工程Ｓ２０４では，獲得した個体識別情報がカバービデオ情報記憶装置に存在するかを判定する。カバービデオ情報記憶装置に獲得した個体識別情報が存在すると判定した場合，カバービデオ情報記憶装置から，個体識別情報に関連付けられたカバービデオ情報を取得する（Ｓ２０６）。そして，カバービデオ情報記憶装置から取得されたカバービデオ情報を表示する（Ｓ２０８）。
【０１０７】
このように，ユーザは，該情報処理装置に情報記録媒体をかざしたり，個体識別情報を入力したりするだけで，カバービデオ情報を参照することができ，情報記録媒体の内容を素早く確認することができる。
【０１０８】
また，工程Ｓ２０４において，獲得した個体識別情報が，カバービデオ情報記憶装置に存在しないと判定した場合，カバービデオ情報記憶装置からカバービデオ情報が取得できなかった旨，ユーザに通知する（Ｓ２１０）。
【０１０９】
工程Ｓ２０２において，情報記録媒体から個体識別情報を獲得した場合，工程Ｓ２１２の判定を行う。工程Ｓ２１２では，獲得した個体識別情報がカバービデオ情報記憶装置に存在するかを判定する。個体識別情報がカバービデオ情報記憶装置に存在している場合，情報記録媒体とカバービデオ情報記憶装置に記憶されているカバービデオ情報のタイムスタンプをそれぞれ取得する（Ｓ２１４）。
【０１１０】
次に，工程Ｓ２１４において取得した情報記録媒体とカバービデオ情報記憶装置のタイムスタンプが一致するかを判定する（Ｓ２１６）。ここで，なぜカバービデオ情報のタイムスタンプを比較する必要があるかについて説明する。
【０１１１】
例えば，カバービデオ情報が該情報処理装置とは別の装置で生成されることが考えられる。別の装置でカバービデオ情報が生成された場合，情報記録媒体に記録されているカバービデオ情報の内容とカバービデオ情報のタイムスタンプが変更されている可能性がある。該情報処理装置に挿入されているカバービデオ情報の内容が変更されているかを判断するには，カバービデオ情報のタイムスタンプが変更されているかを確認すればよい。そこで，情報記録媒体とカバービデオ情報記憶装置に記憶されている，それぞれのカバービデオ情報のタイムスタンプを比較することにより，カバービデオ情報の内容が変更されたかどうかを判断することができる。
【０１１２】
工程Ｓ２１６において，情報記録媒体とカバービデオ情報記憶装置のタイムスタンプが一致すると判定した場合，カバービデオ情報をカバービデオ情報記憶装置から取得する（Ｓ２２２）。そして，工程Ｓ２２２で取得したカバービデオ情報を表示する（Ｓ２０８）。
【０１１３】
タイムスタンプが一致しているとき，情報記録媒体に記録されているカバービデオ情報の内容は変更されていないと判断することができる。この場合，情報記録媒体とカバービデオ情報記憶装置に記憶されているカバービデオ情報の内容は，同一のものである。情報記録媒体に記録されているカバービデオ情報を取得するよりも，カバービデオ情報記憶装置に記憶されているカバービデオ情報を取得するほうが，取得にかかる時間が短い。カバービデオ情報記憶装置からカバービデオ情報を取得して表示することにより，ユーザは，素早く情報記録媒体の内容を確認することができる。
【０１１４】
また，工程Ｓ２１６において，情報記録媒体とカバービデオ情報記憶装置のタイムスタンプが一致しないと判定した場合，カバービデオ情報を情報記録媒体から取得する（Ｓ２１８）。タイムスタンプが一致しない場合，情報記録媒体に記録されているカバービデオ情報の内容は変更されているので，情報記録媒体とカバービデオ情報記憶装置に記憶されているカバービデオ情報の内容はそれぞれ異なる。そのため，情報記録媒体に記録されているカバービデオ情報を取得して，カバービデオ情報記憶装置のカバービデオ情報とカバービデオ情報のタイムスタンプを変更する必要がある（Ｓ２２０）。そして，工程Ｓ２１８で取得されたカバービデオ情報を表示する（Ｓ２０８）。
【０１１５】
このように，カバービデオ情報記憶装置のカバービデオ情報の内容を情報記録媒体と同じ内容になるように，カバービデオ情報を更新することは，ユーザが情報記録媒体を管理するときに有効である。
【０１１６】
工程Ｓ２１２において，個体識別情報がカバービデオ情報記憶装置に存在しないと判断した場合，カバービデオ情報を情報記録媒体から取得する（Ｓ２２４）。個体識別情報がカバービデオ情報記憶装置に存在しない場合とは，例えば，当該情報記録媒体が始めて該情報処理装置に挿入された場合が考えられる。情報記録媒体が該情報処理装置に一度も挿入されたことがなければ，該当するカバービデオ情報はカバービデオ情報記憶装置に存在しない。そこで，カバービデオ情報を情報記録媒体から取得して，カバービデオ情報記憶装置にカバービデオ情報とカバービデオ情報のタイムスタンプ等を追加する（Ｓ２２６）。そして，工程Ｓ２２４で取得したカバービデオ情報を表示する（Ｓ２０８）。
【０１１７】
このように，一度カバービデオ情報記憶装置にカバービデオ情報が記憶されれば，次に情報記録媒体の内容を確認する際には，カバービデオ情報記憶装置のカバービデオ情報を読み出すことが可能となる。
【０１１８】
例えば，ユーザが複数の情報記録媒体を所有している場合，すべての情報記録媒体を１の該情報処理装置に挿入して，各情報記録媒体のカバービデオ情報をカバービデオ情報記憶装置に記憶させることができる。所有している情報記録媒体のカバービデオ情報がカバービデオ情報記憶装置に記憶されていれば，ユーザは，該情報処理装置で情報記録媒体を管理することができる。また，複数の情報記録媒体を再び該情報処理装置に挿入しなくても，カバービデオ情報記憶装置に記憶されているカバービデオ情報を再生するだけで，情報記録媒体の内容を確認することもできる。
【０１１９】
また，例えば，ユーザが毎週末行っているテニスの試合をビデオカメラで撮影した場合を考える。ある情報記録媒体のファイル名を，「２００４．５．１  テニスの試合」とした。また，別の情報記録媒体のファイル名を，「２００４．５．８  テニスの試合」としたとする。毎週テニスの試合を行っているユーザは「日付  テニスの試合」というファイル名を持つ情報記録媒体を複数所有することとなる。そこで，ユーザが，ある試合のベストショットをもう一度見たいと思ったが，何月何日の試合だったか思い出すことができない。情報記録媒体のファイル名は「日付  テニスの試合」となっているため，ファイル名だけではユーザが見たい情報記録媒体を検索することはできない。また，すべての情報記録媒体を再生して内容を確認するには時間がかかりすぎる。そこで，該情報処理装置のカバービデオ情報記憶装置に記憶されている，試合の特徴を表すカバービデオ情報を再生すれば，ユーザが，どの情報記録媒体がいつの試合を撮影したものだったかを思い出す手助けをすることができる。
【０１２０】
このように，カバービデオ情報記憶装置に記憶されているカバービデオ情報によって，ユーザが所有する複数の情報記録媒体の管理が可能となる。また，カバービデオ情報がテキストデータではなく，動画データであることは，ユーザにとって情報記録媒体の内容を連想するのに有効な手段となる。
【０１２１】
以上，個体識別情報が獲得されてから，カバービデオ情報が表示されるまでの処理の流れを説明した。次に，カバービデオ情報の記録および再生の処理の流れついて説明する。
【０１２２】
図１７は，カバービデオ情報の記録および再生に関するタイミングチャートである。まず，制御装置６００は，コンテンツデータ記録装置３００における入力データの入力先を切り替える（Ｓ５０２）。ここで，入力先とは，上述したように，例えば，ビデオカメラのような撮像装置またはデータ等を取り込む外部入力である。制御装置６００は，入力先が撮像装置か，または外部入力かを判断する。
【０１２３】
次に，コンテンツデータ記録装置３００は，切り替えられた入力先から入力データを読み込む（Ｓ３０２）。撮像装置から入力されるデータはコンテンツデータであり，外部入力から入力されるデータは，カバービデオ情報に利用される動画データである。その後，工程Ｓ３０２で読み込んだ入力データを圧縮する（Ｓ３０４）。次に工程Ｓ３０４で圧縮したコンテンツデータを，情報記録媒体に記録する（Ｓ３０６）。さらに，工程Ｓ３０４で圧縮したコンテンツデータから，カバービデオ情報を生成する（Ｓ３０８）。工程Ｓ３０８は，本実施形態にかかる，カバービデオ情報を生成するカバービデオ情報生成工程である。工程Ｓ３０８で生成したカバービデオ情報を，情報記録媒体に記録する（Ｓ３１０）。
【０１２４】
工程Ｓ３０６と工程Ｓ３１０によって，情報記録媒体には，コンテンツデータとカバービデオ情報が記録される。本実施形態では，情報記録媒体にコンテンツデータを記録した後，カバービデオ情報を生成して情報記録媒体に記録しているが，カバービデオ情報を生成してカバービデオ情報を情報記録媒体に記録した後，コンテンツデータを情報記録媒体に記録してもよい。また，入力データの圧縮は，工程Ｓ３０４において一括して行われているため，情報記録媒体に記録されているコンテンツデータとカバービデオ情報の圧縮形式は同一のものとなっている。
【０１２５】
また，上述したように，Ｓ３０８で生成するカバービデオ情報は，コンテンツデータの一部でもよいし，Ｓ３０２において，外部から入力された動画データでもよい。
【０１２６】
制御装置６００は，個体識別情報の読み取りを個体識別情報獲得装置５００に指示する（Ｓ５０４）。個体識別情報の読み取りを指示された個体識別情報獲得装置５００は，該情報処理装置に挿入された情報記録媒体から個体識別情報を読み取る（Ｓ６０２）。次に，工程Ｓ６０２にて読み取った個体識別情報を，制御装置６００に提供する（Ｓ６０４）。
【０１２７】
個体識別情報を提供された制御装置６００は，個体識別情報をコンテンツデータ記録装置３００に提供するとともに，個体識別情報とカバービデオ情報の対応付けをコンテンツデータ記録装置３００に指示する（Ｓ５０６）。コンテンツデータ記録装置３００は，制御装置６００から提供された個体識別情報とカバービデオ情報を関連付けてカバービデオ情報記憶装置に記憶させる（Ｓ３１２）。工程Ｓ３１０は，本実施形態にかかる，個体識別情報とカバービデオ情報を関連づけてカバービデオ情報記憶装置に記憶させる，コンテンツデータ管理工程である。
【０１２８】
制御装置６００は，カバービデオ情報の再生をカバービデオ情報再生装置７００に指示する（Ｓ５０８）。また，制御装置６００は，ユーザが選択した個体識別情報獲得方法を個体識別情報獲得装置５００に通知する（Ｓ５１０）。
【０１２９】
個体識別情報の獲得方法は，上述したように，情報記録媒体から個体識別情報を獲得する方法，情報記録媒体の表面に刻印されている個体識別情報を撮像して個体識別情報を獲得する方法，またはユーザ入力により個体識別情報を獲得する方法がある。ユーザはどの獲得方法によって個体識別情報を獲得するかを選択することができ，制御装置６００はユーザが選択した獲得方法を取得して，個体識別情報獲得装置５００に通知する。
【０１３０】
個体識別情報の獲得方法を通知された個体識別情報獲得装置５００は，通知された個体識別情報の獲得方法に基づいて，個体識別情報を獲得する（Ｓ６０６）。工程Ｓ６０６は，本実施形態にかかる，情報記録媒体に予め設定されている個体識別情報を獲得する，個体識別情報獲得工程である。そして，個体識別情報獲得装置５００は，工程Ｓ６０６で獲得した個体識別情報を，カバービデオ情報再生装置７００に提供する（Ｓ６０８）。
【０１３１】
制御装置６００からカバービデオ情報の再生を指示されたカバービデオ情報再生装置７００は，カバービデオ情報記憶装置のカバービデオ情報を検索するために，個体識別情報を必要とする。
【０１３２】
工程Ｓ６０８で個体識別情報獲得装置５００からカバービデオ情報再生装置７００に個体識別情報が提供され，カバービデオ情報再生装置７００は，カバービデオ情報を再生するための準備を始めることができる。
【０１３３】
工程Ｓ６０８で，個体識別情報獲得装置５００から個体識別情報が提供されると，カバービデオ情報再生装置７００は，提供された個体識別情報に関連付けられたカバービデオ情報を取得する（Ｓ７０２）。カバービデオ情報は，該情報処理装置のカバービデオ情報記憶装置に記憶されているので，カバービデオ情報再生装置７００は，個体識別情報に関連付けられたカバービデオ情報をカバービデオ情報記憶装置から選択して，カバービデオ情報を取得する。
【０１３４】
次に，カバービデオ情報再生装置７００は，工程Ｓ７０２で取得したカバービデオ情報を解凍する（Ｓ７０４）。そして，工程Ｓ７０４で解凍したカバービデオ情報を再生する（Ｓ７０６）。工程Ｓ７０６は，本実施形態にかかる，カバービデオ情報再生工程である。
【０１３５】
以上，カバービデオ情報の記録および再生の処理の流れついて説明した。上述したように，コンテンツデータ記録装置およびカバービデオ情報再生装置はひとつの情報処理装置に含まれていてもよいし，別々の情報処理装置にそれぞれ含まれていてもよい。例えば，情報処理装置のカバービデオ情報記憶装置を着脱可能な記憶媒体（例えばメモリカード等）とすれば，コンテンツデータ記録装置を含む情報処理装置で生成したカバービデオ情報を，カバービデオ情報再生装置を含む情報処理装置で再生することが可能となる。
【０１３６】
次に，図１８に基づいて，カバービデオ情報の再生のタイミングについて説明する。図１８は，カバービデオ情報の再生のタイミングを示す説明図である。
【０１３７】
通常，情報記録媒体に記録されているコンテンツデータのなかから，ユーザが所望のコンテンツデータを選択して再生するために，上述したサムネイルデータが表示される。しかし，サムネイルデータを表示するためには，情報記録媒体から必要なデータを読み込んだり，読み込んだデータを表示装置に転送したりしなければならず，その間，表示装置には何も表示されず，ブルーバック等の待ち画面が表示される。
【０１３８】
しかし，情報記録媒体とは別体のカバービデオ情報記憶装置に記憶されているカバービデオ情報を再生することにより，サムネイルデータ表示までの待ち時間にカバービデオ情報を再生することができる。これによりユーザは，情報記録媒体に記録されているサムネイルデータが表示され，コンテンツデータが再生されるまでの待ち時間を意識することなく，さらには待ち時間を利用して情報記録媒体に記録されているコンテンツデータの内容を素早く確認することもできる。
【０１３９】
以下では，カバービデオ情報が，情報記録媒体とは別体のカバービデオ情報記憶装置に記憶されている場合について説明する。また，ユーザにより，表示されたサムネイルデータのなかから所望のサムネイルデータが選択されて，サムネイルデータに関連付けられたコンテンツデータが再生される。
【０１４０】
図１８に示したように，情報処理装置に備えられたシーケンス管理部１０，動画管理部１１，動画データ取得部１２，動画解凍部１３，静止画管理部１４，静止画データ取得部１５，静止画解凍部１６を用いて説明する。シーケンス管理部１０，動画管理部１１，静止画管理部１４，は上述した制御装置６００の一例であり，動画データ取得部１２，動画解凍部１３，静止画データ取得部１５，静止画解凍部１６は上述したカバービデオ情報再生装置７００の一例である。
【０１４１】
シーケンス管理部１０は，時系列的に各部を制御し，例えば，動画管理部１１，静止画管理部１４に処理の起動を通知したり，処理の終了通知を受けたりする。動画管理部１１は，動画データの再生処理等を制御し，静止画管理部１４は，静止画データの表示処理等を制御している。動画データ取得部１２は，情報記録媒体や，情報記録媒体とは別体の情報記憶装置から動画データを取得して，バッファに蓄積する。動画解凍部１３は，バッファに蓄積された動画データを復号して，表示装置に再生させる。静止画データ取得部は，情報記録媒体に記録されている静止画データを取得して，バッファに蓄積する。静止画解凍部１６は，バッファに蓄積された静止画データを復号して，表示装置に表示させる。
【０１４２】
まず，情報処理装置に情報記録媒体が挿入されると，シーケンス管理部１０は，情報記録媒体が情報処理装置に挿入されたことを認識し，マウント処理を開始させる（２０）。情報記録媒体の挿入を認識した情報処理装置は，ファイルシステムのマウント（２５）後，アプリケーションのマウント（２６）を行う。ファイルシステムのマウント（２５）において，情報記録媒体の記録方式等であるファイルシステムが認識され，アプリケーションマウント（２６）において，情報記録媒体に記録されているアプリケーションが認識される。また，アプリケーションマウント（２６）において，個体識別情報の取得（２７）や，コンテンツ情報の読み込み（２８）が行われる。
【０１４３】
個体識別情報は，上述したように，カバービデオ情報を再生させるために必要な情報記録媒体の識別情報である。また，コンテンツ情報とは，コンテンツデータに関連する情報であり，例えばコンテンツデータのファイル名，ディレクトリ構成情報などである。本実施形態では，カバービデオ情報を再生させて素早くコンテンツデータの内容を確認するために，コンテンツ情報の読みこみに先駆けて，個体識別情報を取得させる。
【０１４４】
動画管理部１１は，ディスクＩＤが取得されると，動画データ取得部１２にカバービデオ情報の取得を開始させる。動画データ取得部１２は，ディスクＩＤに関連付けられた情報記憶装置に記憶されているカバービデオ情報を取得し，カバービデオ情報の復号開始に必要な初期データ量をバッファに蓄積した後，蓄積完了を動画管理部１１に通知する。
【０１４５】
動画データ取得部により初期蓄積完了の通知を受けた動画管理部１１は，動画解凍部１３にデータの復号開始および復号されたデータの再生開始を指示する。動画解凍部１３は，カバービデオ情報のデータを復号し，復号されたデータを再生させる。これにより，ブルーバックなどの待ち画面が表示（４０）されていた表示装置には，カバービデオ情報が再生（４２）される。
【０１４６】
その後，情報記憶装置に記憶されているカバービデオ情報がすべて取得され再生されると，動画解凍部１３は，カバービデオ情報の再生が終了したことを動画管理部１１に通知する。
【０１４７】
カバービデオ情報の再生終了を通知された動画管理部１１は，カバービデオ情報の再生処理が終了したことをシーケンス管理部１０に通知する。カバービデオ情報の再生終了を通知されたシーケンス管理部１０は，動画解凍部１３に，カバービデオ情報の最終画像を保持するように指示する。
【０１４８】
また，シーケンス管理部１０は，アプリケーションマウント２６が終了する際に，静止画管理部１４に対して，サムネイル取得処理３４の起動を指示する。サムネイル取得処置３４の起動指示を受けた静止画管理部１４は，静止画データ取得部１５にサムネイルデータ取得を指示する。サムネイルデータ取得指示を受けた静止画データ取得部１５は，情報記録媒体に記録されているサムネイルデータを取得する。情報記録媒体に記録されているすべてのサムネイルデータを取得した静止画データ取得部１５は，サムネイルデータ取得完了を静止画管理部１４に通知し，取得処理を終了する。静止画データ取得部１５よりサムネイルデータ取得完了を通知された静止画管理部１４は，サムネイル取得完了をシーケンス管理部１０に通知する。
【０１４９】
シーケンス管理部１０は，サムネイル取得完了を通知され，さらにカバービデオ情報再生処理終了を通知された後，コンテンツサムネイルメニュー表示指示２２を静止画管理部１４に通知する。コンテンツサムネイルメニュー表示指示通知を受けた静止画管理部１４は，静止画解凍部１６にサムネイルデータの復号を指示する。サムネイルデータの復号を指示された静止画解凍部１６は，必要回数だけサムネイルデータを復号して，表示装置にサムネイルデータを表示させる。表示装置には，上述した１または２以上のサムネイルデータが，コンテンツサムネイルメニューとして表示される（４４）。
【０１５０】
シーケンス管理部１０は，情報記録媒体に記録されているサムネイルデータがすべて表示されると，ユーザにより表示されたサムネイルデータのなかから１のサムネイルデータが選択されるのを待つ（２３）。
【０１５１】
ユーザにより，表示されたサムネイルデータのなかから１のサムネイルデータが選択されると，シーケンス管理部１０は，選択されたコンテンツデータ取得を動画管理部１１に指示する（２４）。コンテンツデータ取得を指示された動画管理部１１は，動画データ取得部１２にコンテンツデータ取得を指示し，動画データ取得部１２は，情報記録媒体に記録されているコンテンツデータ取得を開始する。
【０１５２】
動画データ取得部１２は，コンテンツデータの復号開始に必要な初期データ量をバッファに蓄積した後，蓄積完了を動画管理部１１に通知する。動画データ取得部により職蓄積完了の通知を受けた動画管理部１１は，動画解凍部１３にデータの復号開始および復号されたデータの再生開始を指示する。動画解凍部１３は，コンテンツデータを復号し，復号されたデータを再生させる。これによりコンテンツサムネイルメニューが表示されていた表示装置に，ユーザにより指定されたコンテンツデータが再生される（４６）。
【０１５３】
以上説明したように，情報記録媒体とは別体の情報記憶装置にカバービデオ情報が記憶されている場合，カバービデオ情報が再生されている間に，サムネイルの取得処理が行われる。これにより，従来サムネイルが表示されるまでは表示装置に待ち画面等が表示され，ユーザにとって待ち時間であった時間にカバービデオ情報を再生することが可能となる。
【０１５４】
また，上述したように，カバービデオ情報は，コンテンツデータの特徴的な内容を表すものであり，情報記録媒体に記録されたコンテンツデータより再生時間が短い動画データである。ユーザは，カバービデオ情報を再生して，素早くしかも容易に情報記録媒体に記録されたコンテンツデータの内容をイメージすることができる。
【０１５５】
また，情報記録媒体とは別体の情報記憶装置にはカバービデオ情報が記憶されておらず，情報記録媒体にカバービデオ情報が記録されている場合でも，カバービデオ情報を表示させている間に，サムネイルデータの取得処理を行うことができる。情報記録媒体にカバービデオ情報が記録されている場合においても，コンテンツサムネイルの取得処理またはコンテンツ再生処理に先駆けてカバービデオ情報再生処理を実行させる。具体的には，アプリケーションマウント後カバービデオ情報再生処理が開始され，カバービデオ情報取得処理後，サムネイル取得処理が開始される。サムネイル取得処理が行われている間も，カバービデオ情報が再生されているため，ユーザは，サムネイルが取得され表示されるまでの待ち時間を有効に利用することが可能となる。
【０１５６】
また，図１８においては，コンテンツデータを再生する前にサムネイルデータを表示させるようにしたが，サムネイルデータを表示せずにカバービデオ情報再生後すぐにコンテンツデータを再生するようにしてもよい。サムネイルデータを表示しない場合においても，コンテンツデータ再生に先駆けてカバービデオ情報を再生することにより，カバービデオ情報再生中にコンテンツデータを再生するための準備を行うことができ，ユーザは待ち時間を有効に利用することが可能となる。
【０１５７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１５８】
上述の実施形態では，情報記録媒体の表面に物理的に表示されている数字や文字等で表されている個体識別情報を，撮像装置などにより読み取ることによって，各情報記録媒体を識別しているが，本発明はかかる例に限定されない。例えば，バーコードのような個体識別情報を，情報記録媒体の表面に物理的に表示させて，情報記録媒体を識別することもできる。バーコードとは，バーとスペースの組合せにより、数字や文字などを機械が読み取れる形で表現したもので，これをバーコードスキャナと呼ばれる光学認識装置を使って読み取る。したがって，バーコードが情報記録媒体の表面に物理的に表示されている場合，該情報処理装置に，光学認識装置を含めることにより，情報記録媒体の個体識別情報を認識することが可能となる。
【産業上の利用可能性】
【０１５９】
本発明は，情報記録媒体に記録されているコンテンツデータを特定する動画データを生成して，記録または再生する情報処理装置，情報処理方法およびプログラムに適用可能である。
【図面の簡単な説明】
【０１６０】
【図１】本発明の実施形態における情報記録媒体へのコンテンツデータと，カバービデオ情報の記録方法を説明する第１の図である。
【図２】同実施の形態における情報記録媒体へのコンテンツデータと，カバービデオ情報の記録方法を説明する第２の図である。
【図３】同実施の形態における情報記録媒体へのコンテンツデータと，カバービデオ情報の記録方法を説明する第３の図である。
【図４】同実施の形態における情報処理装置の構成を示すブロック図である。
【図５】同実施の形態におけるサムネイルデータの構成を示す説明図である。
【図６】同実施の形態におけるサムネイルデータの表示例である。
【図７】同実施の形態におけるコンテンツデータおよびカバービデオ情報の記録方法を説明する図である。
【図８】同実施の形態におけるコンテンツデータおよびカバービデオ情報の圧縮方法を説明する図である。
【図９】同実施の形態における個体識別情報とカバービデオ情報の関連付け方法を説明する図である。
【図１０】同実施の形態における個体識別情報獲得装置の構成を示す図である。
【図１１】同実施の形態におけるカバービデオ情報記憶装置のデータ構造を示す図である。
【図１２】同実施の形態におけるコンテンツデータとカバービデオ情報の再生方法を説明する図である。
【図１３】同実施の形態におけるコンテンツデータおよびカバービデオ情報の解凍方法を説明する図である。
【図１４】同実施の形態におけるカバービデオ情報の選択方法を説明する図である。
【図１５】同実施の形態におけるユーザが個体識別情報獲得方法を選択する処理の流れを表すフローチャートである。
【図１６】同実施の形態におけるカバービデオ情報表示の処理の流れを示したフローチャートである
【図１７】同実施の形態におけるカバービデオ情報の記録および再生に関するタイミングチャートである。
【図１８】同実施の形態におけるカバービデオ情報の再生のタイミングを示す説明図である。
【符号の説明】
【０１６１】
１００      情報処理装置
１１０      個体識別情報入力装置
１２０      情報記録媒体
３１５      サムネイルデータ生成装置
３２０      カバービデオ情報生成装置
４００      コンテンツデータ管理装置
５００      個体識別情報獲得装置
７００      カバービデオ情報再生装置
Ｓ３０８    カバービデオ情報生成工程
Ｓ３１２    コンテンツデータ管理工程
Ｓ６０２    個体識別情報獲得工程
Ｓ７０６    カバービデオ情報再生工程
【図１】
2006020267.tif 000003
【図２】
2006020267.tif 000004
【図３】
2006020267.tif 000005
【図４】
2006020267.tif 000006
【図５】
2006020267.tif 000007
【図６】
2006020267.tif 000008
【図７】
2006020267.tif 000009
【図８】
2006020267.tif 000010
【図９】
2006020267.tif 000011
【図１０】
2006020267.tif 000012
【図１１】
2006020267.tif 000013
【図１２】
2006020267.tif 000014
【図１３】
2006020267.tif 000015
【図１４】
2006020267.tif 000016
【図１５】
2006020267.tif 000017
【図１６】
2006020267.tif 000018
【図１７】
2006020267.tif 000019
【図１８】
2006020267.tif 000020